【手続補正書】
【提出日】平成17年8月10日(2005.8.10)
【手続補正１】
【補正対象書類名】特許請求の範囲
【補正対象項目名】全文
【補正方法】変更
【補正の内容】
【特許請求の範囲】
【請求項１】
第１のトランシーバと第２のトランシーバを有するデータ通信システムにおけるデータ転送遅延補償システムであって、
前記第１のトランシーバから前記第２のトランシーバへサイクル基準信号を伝送するための手段であって、前記第１及び第２のトランシーバの外部にある装置から外部サイクル基準を受信して、前記装置との同期を維持するように結合された手段と、
前記第２のトランシーバで前記サイクル基準を受信した後、遅延値に応じて変わる所与の時間後に、前記第２のトランシーバから前記第１のトランシーバへ前記サイクル基準を伝送するための手段と、
前記第１のトランシーバに結合され、前記第１のトランシーバで受信した前記サイクル基準と前記外部サイクル基準との位相差を測定して前記遅延値を更新するための手段
を備えるデータ転送遅延補償システム。
【請求項２】
ハブトランシーバとノードトランシーバを有するデータ通信システムにおけるデータ転送遅延補償システムであって、
前記ハブトランシーバから前記ノードトランシーバへサイクル基準信号を伝送するための手段であって、該サイクル基準信号に、伝送距離によって導入される待ち時間が生じる、手段と、
前記ノードトランシーバに結合され、前記ノードトランシーバで受信した前記サイクル基準信号と外部サイクル基準との位相差を測定して遅延値を更新するための手段と、
前記ノードトランシーバに結合され、前記遅延値を使用して、伝送距離により導入された待ち時間を補償するための手段
を備えるデータ転送遅延補償システム。
【請求項３】
第１のトランシーバと第２のトランシーバを有するデータ通信システムにおけるデータ転送遅延補償システムであって、
前記第１のトランシーバから前記第２のトランシーバへ、ＮＲＺＩ(non-return-to-zero-inverted）方式の電圧変化を用いてサイクル基準を伝送するための手段と、
前記第２のトランシーバで前記サイクル基準を受信した後、遅延値に応じて変わる所与の時間後に、前記第２のトランシーバから前記第１のトランシーバへ前記サイクル基準を伝送するための手段と、
前記第１のトランシーバに結合され、前記第１のトランシーバで受信した前記サイクル基準と外部サイクル基準との位相差を測定して前記遅延値を更新するための手段
を備えるデータ転送遅延補償システム。
【請求項４】
少なくとも２本の電気的に導電性の線で互いに結合されたハブトランシーバとノードトランシーバとを有するデータ通信システムにおけるデータ転送遅延補償システムであって、
前記ハブトランシーバから前記ノードトランシーバへサイクル基準を伝送するための手段であって、該サイクル基準に、前記電気的に導電性の線を介した伝送により導入される待ち時間が生じる、手段と、
前記ノードトランシーバに結合され、前記ノードトランシーバで受信した前記サイクル基準と外部サイクル基準とのタイミング差を測定して遅延値を更新するための手段と、
前記ノードトランシーバに結合され、前記待ち時間を補償するための手段
を備えるデータ転送遅延補償システム。
【請求項５】
複数のノード間でデータを交換するように結合された複数のハブを有する通信システムにおけるデータ転送遅延補償システムであって、
前記複数のハブのうちの１つにおけるハブ送信機であって、外部サイクル基準を受信するように結合され、サイクル基準を少なくとも１つの前記ノードに伝送するためのハブ送信機と、
前記ハブ送信機に結合され、前記サイクル基準を受信するためのノード受信機であって、サイクルの到着を整列させるためのＦＩＦＯバッファを含むノード受信機と、
前記ノード受信機に結合され、前記ノード受信機からサイクル遅延信号を受信するためのノード制御回路と、
前記ノード受信機から前記サイクル基準を受信するように結合された入力部と、前記サイクル基準を遅延させるための出力部とを備えるノード遅延回路と、
前記ノード制御回路に結合された入力部と、前記遅延回路の入力部における前記サイクル基準の受信と前記遅延回路からの前記サイクル基準の出力との間の遅延時間を制御するために前記ノード遅延回路に結合された出力部とを備えるオフセット回路と、
前記ノード遅延回路の出力部から前記サイクル基準を受信するように結合され、前記サイクル基準を前記１つのハブのハブ受信機に伝送するためのノード送信機と、
前記ハブ受信機に結合され、前記ハブ受信機から前記サイクル基準を受信するとともに、前記外部サイクル基準に結合され、前記外部サイクル基準と前記ハブ受信機からのサイクル基準出力との間の時間差を比較してオフセット値を出力するための遅延測定回路と、
前記オフセット値を受信するように結合されたハブ制御回路
を備えるデータ転送遅延補償システム。
【請求項６】
電気的に導電性のシステムケーブルを介して複数のノード間でデータを交換するように結合されたハブを有する通信システムにおけるデータ転送遅延補償システムであって、
外部サイクル基準を受信するように結合され、サイクル基準を少なくとも１つの前記ノードに伝送するためのハブ送信機と、
前記ハブ送信機に結合され、前記サイクル基準を受信するためのノード受信機と、
前記ノード受信機に結合され、前記ノード受信機からサイクル遅延信号を受信するためのノード制御回路と、
前記ノード受信機から前記サイクル基準を受信するように結合された入力部と、前記サイクル基準を遅延させ、前記電気的に導電性のシステムケーブルによって生じるサイクルの不整合を補償するための出力部とを備えるノード遅延回路と、
前記ノード制御回路に結合された入力部と、前記遅延回路の入力部における前記サイクル基準の受信と前記遅延回路からの前記サイクル基準の出力との間の遅延時間を制御するために前記ノード遅延回路に結合された出力部とを備えるオフセット回路と、
前記ノード遅延回路の出力部から前記サイクル基準を受信するように結合され、前記サイクル基準をハブ受信機に伝送するためのノード送信機と、
前記ハブ受信機に結合され、前記ハブ受信機から前記サイクル基準を受信するとともに、前記外部サイクル基準に結合され、前記外部サイクル基準と前記ハブ受信機からのサイクル基準出力との間の時間差を比較してオフセット値を出力するための遅延測定回路と、
前記オフセット値を受信するように結合されたハブ制御回路
を備えるデータ転送遅延補償システム。
【請求項７】
複数のノード間でＮＲＺＩ（non-return-to-zero-inverted）通信方式によりデータを交換するように結合されたハブを有する通信システムにおけるデータ転送遅延補償システムであって、
外部サイクル基準を受信するように結合され、ＮＲＺＩ（non-return-to-zero-inverted）プロトコルを用いてサイクル基準を少なくとも１つのノードに伝送するためのハブ送信機と、
前記ハブ送信機に結合され、前記サイクル基準を受信するためのノード受信機と、
前記ノード受信機に結合され、前記ノード受信機からサイクル遅延信号を受信するためのノード制御回路と、
前記ノード受信機から前記サイクル基準を受信するように結合された入力部と、前記サイクル基準を遅延させ、物理媒体を介した伝送によって生じる待ち時間を補償するための出力部とを備えるノード遅延回路と、
前記ノード制御回路に結合された入力部と、前記遅延回路の入力部における前記サイクル基準の受信と前記遅延回路からの前記サイクル基準の出力との間の遅延時間を制御するために前記ノード遅延回路に結合された出力部とを備えるオフセット回路と、
前記ノード遅延回路の出力部から前記サイクル基準を受信するように結合され、前記サイクル基準をハブ受信機に伝送するためのノード送信機と、
前記ハブ受信機に結合され、前記ハブ受信機から前記サイクル基準を受信するとともに、前記外部サイクル基準に結合され、前記外部サイクル基準と前記ハブ受信機からのサイクル基準出力との間の時間差を比較してオフセット値を出力するための遅延測定回路と、
前記オフセット値を受信するように結合されたハブ制御回路
を備えるデータ転送遅延補償システム。
【請求項８】
前記オフセット回路がラッチを含む、請求項５〜７のうちいずれか一項に記載のデータ転送遅延補償システム。
【請求項９】
前記オフセット回路がカウンタを含む、請求項５〜７のうちいずれか一項に記載のデータ転送遅延補償システム。
【請求項１０】
前記ノード制御回路が状態マシンを含む、請求項５〜７のうちいずれか一項に記載のデータ転送遅延補償システム。
【請求項１１】
前記ハブ制御回路が状態マシンを含む、請求項５〜７のうちいずれか一項に記載のデータ転送遅延補償システム。
【請求項１２】
ハブトランシーバとノードトランシーバの間におけるデータ伝送間のスキューを減少させる方法であって、
前記ハブトランシーバから前記ノードトランシーバへサイクル基準を伝送するステップであって、該サイクル基準に、電気的に導電性のシステムケーブルによって引き起こされるサイクル不整合が生じる、ステップと、
前記サイクル基準を前記ノードトランシーバの受信機から前記ノードトランシーバの遅延回路へ伝送するステップと、
前記遅延回路から前記ノードトランシーバの送信機への前記サイクル基準の伝送を、遅延値に応じた所定量の時間だけ遅延させるステップ
を含む方法。
【請求項１３】
第１のデータトランシーバと第２のデータトランシーバの間におけるデータ伝送間のスキューを減少させる方法であって、
前記第１のトランシーバから前記第２のトランシーバへサイクル基準を伝送するステップであって、該サイクル基準がＮＲＺＩ(non-return-to-zero-inverted）方式を用いて伝送される、ステップと、
前記サイクル基準を前記第２のトランシーバの受信機から前記第２のトランシーバの遅延回路へ伝送するステップと、
前記遅延回路から前記第２のトランシーバの送信機への前記サイクル基準の伝送を、遅延値に応じた所定量の時間だけ遅延させるステップ
を含む方法。
【請求項１４】
電気的に導電性の物理媒体を介してハブトランシーバからデータ伝送を受信しているノードトランシーバにおいて、サイクルの到着を整列させるための方法であって、
前記ハブトランシーバから前記ノードトランシーバへ電気的に導電性の物理媒体を介してサイクル基準を伝送するステップと、
前記サイクル基準を前記ノードトランシーバの受信機から前記ノードトランシーバの遅延回路へ伝送するステップと、
前記遅延回路から前記ノードトランシーバの送信機への前記サイクル基準の伝送を、前記電気的に導電性の物理媒体によって生じる伝搬遅延に部分的に基づく時間だけ遅延させるステップ
を含む方法。
【請求項１５】
前記遅延回路から前記ノードトランシーバの送信機への前記サイクル基準の伝送を、遅延値に部分的に基づく時間だけ遅延させるステップをさらに含む、請求項１４に記載の方法。
【請求項１６】
前記サイクル基準がＮＲＺＩ（non-return-to-zero-inverted）方式を用いて伝送される、請求項１５に記載の方法。